(57)【要約】【課題】ＡＤＨＤの被験者特有の特性に対してより直接的に適合した評価を行う。【解決手段】評価装置は、表示部と、被験者の注視点の位置を検出する注視点検出部と、主対象画像及び副対象画像を含む評価用画像と、主対象画像を注視するように被験者に指示する指示情報とを表示部に表示する表示制御部と、副対象画像に対応した判定領域を設定する領域設定部と、検出された注視点の位置に基づいて、注視点が判定領域に存在するかを判定する判定部と、所定の時点から注視点が判定領域に最初に到達するまでの到達時間を判定部の判定結果に基づいて計測する演算部と、到達時間に基づいて、被験者の評価データを求める評価部とを備える。【選択図】図２
2020151293.tif 000002
【特許請求の範囲】
【請求項１】
表示部と、
被験者の注視点の位置を検出する注視点検出部と、
主対象画像及び副対象画像を含む評価用画像と、前記主対象画像を注視するように前記被験者に指示する指示情報とを前記表示部に表示する表示制御部と、
前記副対象画像に対応した判定領域を設定する領域設定部と、
検出された前記注視点の位置に基づいて、前記注視点が前記判定領域に存在するかを判定する判定部と、
所定の時点から前記注視点が前記判定領域に最初に到達するまでの到達時間を前記判定部の判定結果に基づいて計測する演算部と、
前記到達時間に基づいて、前記被験者の評価データを求める評価部と
を備える評価装置。
【請求項２】
前記表示制御部は、前記副対象画像を前記被験者が認識し難い状態から前記被験者が認識し易い状態に変化させる
請求項１に記載の評価装置。
【請求項３】
前記副対象画像は、複数設けられ、
前記領域設定部は、それぞれの前記副対象画像に対応した前記判定領域を設定し、
前記演算部は、前記判定領域毎に前記到達時間を計測し、
前記評価部は、全ての前記判定領域における前記到達時間の平均値に基づいて前記評価データを求める
請求項１又は請求項２に記載の評価装置。
【請求項４】
前記領域設定部は、前記主対象画像に対応した特定領域を設定し、
前記判定部は、前記注視点の位置に基づいて、前記注視点が前記特定領域に存在するかを判定し、
前記演算部は、前記注視点が前記特定領域に存在すると最初に判定された時点を、前記所定の時点とする
請求項１から請求項３のいずれか一項に記載の評価装置。
【請求項５】
被験者の注視点の位置を検出することと、
主対象画像及び副対象画像を含む評価用画像と、前記主対象画像を注視するように前記被験者に指示する指示情報とを前記表示部に表示することと、
前記副対象画像に対応した判定領域を設定することと、
検出された前記注視点の位置に基づいて、前記注視点が前記判定領域に存在するかを判定することと、
所定の時点から前記注視点が前記判定領域に最初に到達するまでの到達時間を前記判定結果に基づいて計測することと、
前記到達時間に基づいて、前記被験者の評価データを求めることと
を含む評価方法。
【請求項６】
被験者の注視点の位置を検出する処理と、
主対象画像及び副対象画像を含む評価用画像と、前記主対象画像を注視するように前記被験者に指示する指示情報とを前記表示部に表示する処理と、
前記副対象画像に対応した判定領域を設定する処理と、
検出された前記注視点の位置に基づいて、前記注視点が前記判定領域に存在するかを判定する処理と、
所定の時点から前記注視点が前記判定領域に最初に到達するまでの到達時間を前記判定結果に基づいて計測する処理と、
前記到達時間に基づいて、前記被験者の評価データを求める処理と
をコンピュータに実行させる評価プログラム。
【発明の詳細な説明】
【技術分野】
【０００１】
本発明は、評価装置、評価方法、及び評価プログラムに関する。
【背景技術】
【０００２】
最近、発達障がい者が増加傾向にあると言われている。発達障がいは、早期に発見し療育を開始することで症状を軽減し、社会に適応できる効果が高くなることがわかっており、客観的かつ効率的に発達障がいの可能性を評価可能な評価装置が求められている。
【０００３】
特許文献１には、発達障がいのうち、注意欠如・多動症（ＡＤＨＤ（Attention  deficit  hyperactivity  disorder））の可能性を評価する手法が記載されている。この手法では、表示部の中央に第１画像を表示し、第１画像の周囲に第２画像を表示し、被験者には第１画像を見るように指示した上で、表示部における被験者の注視点を検出し、各画像に対応する領域に滞留する滞留時間に基づいてＡＤＨＤの可能性を評価する。
【先行技術文献】
【特許文献】
【０００４】
【特許文献１】特開２０１６−１７１８４９号公報
【発明の概要】
【発明が解決しようとする課題】
【０００５】
ＡＤＨＤの被験者は、例えば多動性又は衝動性により注視点の移動が多くなる傾向がある。特許文献１に記載の手法では、見るように指示した画像と他の画像との注視点の滞留時間を比較することにより、注視点の移動を間接的に評価することが可能であった。そこで、ＡＤＨＤの特性に直接的に適合した評価を行うことが求められている。
【０００６】
本発明は、上記に鑑みてなされたものであり、ＡＤＨＤの被験者特有の特性に対してより直接的に適合した評価を行うことができる評価装置、評価方法、及び評価プログラムを提供することを目的とする。
【課題を解決するための手段】
【０００７】
本発明に係る評価装置は、表示部と、被験者の注視点の位置を検出する注視点検出部と、主対象画像及び副対象画像を含む評価用画像と、前記主対象画像を注視するように前記被験者に指示する指示情報とを前記表示部に表示する表示制御部と、前記副対象画像に対応した判定領域を設定する領域設定部と、検出された前記注視点の位置に基づいて、前記注視点が前記判定領域に存在するかを判定する判定部と、所定の時点から前記注視点が前記判定領域に最初に到達するまでの到達時間を前記判定部の判定結果に基づいて計測する演算部と、前記到達時間に基づいて、前記被験者の評価データを求める評価部とを備える。
【０００８】
本発明に係る評価方法は、被験者の注視点の位置を検出することと、主対象画像及び副対象画像を含む評価用画像と、前記主対象画像を注視するように前記被験者に指示する指示情報とを前記表示部に表示することと、前記副対象画像に対応した判定領域を設定することと、検出された前記注視点の位置に基づいて、前記注視点が前記判定領域に存在するかを判定することと、所定の時点から前記注視点が前記判定領域に最初に到達するまでの到達時間を前記判定結果に基づいて計測することと、前記到達時間に基づいて、前記被験者の評価データを求めることとを含む。
【０００９】
本発明に係る評価プログラムは、被験者の注視点の位置を検出する処理と、主対象画像及び副対象画像を含む評価用画像と、前記主対象画像を注視するように前記被験者に指示する指示情報とを前記表示部に表示する処理と、前記副対象画像に対応した判定領域を設定する処理と、検出された前記注視点の位置に基づいて、前記注視点が前記判定領域に存在するかを判定する処理と、所定の時点から前記注視点が前記判定領域に最初に到達するまでの到達時間を前記判定結果に基づいて計測する処理と、前記到達時間に基づいて、前記被験者の評価データを求める処理とをコンピュータに実行させる。
【発明の効果】
【００１０】
本発明によれば、ＡＤＨＤの被験者特有の特性に対してより直接的に適合した評価を行うことができる。
【図面の簡単な説明】
【００１１】
【図１】図１は、本実施形態に係る評価装置の一例を模式的に示す図である。
【図２】図２は、評価装置の一例を示す機能ブロック図である。
【図３】図３は、表示部に表示する評価用画像の一例を示す図である。
【図４】図４は、表示部に指示情報を表示する場合の一例を示す図である。
【図５】図５は、表示部に設定される判定領域の一例を示す図である。
【図６】図６は、評価用画像の表示の推移を示す図である。
【図７】図７は、評価用画像の表示の推移を示す図である。
【図８】図８は、評価用画像の表示の推移を示す図である。
【図９】図９は、評価用画像の表示の推移を示す図である。
【図１０】図１０は、評価用画像の表示の推移を示す図である。
【図１１】図１１は、本実施形態に係る評価方法の一例を示すフローチャートである。
【発明を実施するための形態】
【００１２】
以下、本発明に係る評価装置、評価方法、及び評価プログラムの実施形態を図面に基づいて説明する。なお、この実施形態によりこの発明が限定されるものではない。また、下記実施形態における構成要素には、当業者が置換可能かつ容易なもの、あるいは実質的に同一のものが含まれる。
【００１３】
以下の説明においては、三次元グローバル座標系を設定して各部の位置関係について説明する。所定面の第１軸と平行な方向をＸ軸方向とし、第１軸と直交する所定面の第２軸と平行な方向をＹ軸方向とし、第１軸及び第２軸のそれぞれと直交する第３軸と平行な方向をＺ軸方向とする。所定面はＸＹ平面を含む。
【００１４】
［評価装置］  
図１は、本実施形態に係る評価装置１００の一例を模式的に示す図である。本実施形態に係る評価装置１００は、被験者の視線を検出し、検出結果を用いることで注意欠如・多動症（以下、ＡＤＨＤ（Attention  deficit  hyperactivity  disorder）と表記する）についての評価を行う。評価装置１００は、例えば被験者の瞳孔の位置と角膜反射像の位置とに基づいて視線を検出する方法、又は被験者の目頭の位置と虹彩の位置とに基づいて視線を検出する方法等、各種の方法により被験者の視線を検出することができる。
【００１５】
図１に示すように、評価装置１００は、表示装置１０と、画像取得装置２０と、コンピュータシステム３０と、出力装置４０と、入力装置５０と、入出力インターフェース装置６０とを備える。表示装置１０、画像取得装置２０、コンピュータシステム３０、出力装置４０及び入力装置５０は、入出力インターフェース装置６０を介してデータ通信を行う。表示装置１０及び画像取得装置２０は、それぞれ不図示の駆動回路を有する。
【００１６】
表示装置１０は、液晶ディスプレイ（liquid  crystal  display：ＬＣＤ）又は有機ＥＬディスプレイ（organic  electroluminescence  display：ＯＬＥＤ）のようなフラットパネルディスプレイを含む。本実施形態において、表示装置１０は、表示部１１を有する。表示部１１は、画像等の情報を表示する。表示部１１は、ＸＹ平面と実質的に平行である。Ｘ軸方向は表示部１１の左右方向であり、Ｙ軸方向は表示部１１の上下方向であり、Ｚ軸方向は表示部１１と直交する奥行方向である。表示装置１０は、ヘッドマウント型ディスプレイ装置であってもよい。表示装置１０がヘッドマウント型ディスプレイ装置である場合、ヘッドマウントモジュール内に画像取得装置２０のような構成が配置されることになる。
【００１７】
画像取得装置２０は、被験者の左右の眼球ＥＢの画像データを取得し、取得した画像データをコンピュータシステム３０に送信する。画像取得装置２０は、撮影装置２１を有する。撮影装置２１は、被験者の左右の眼球ＥＢを撮影することで画像データを取得する。撮影装置２１は、被験者の視線を検出する方法に応じた各種カメラを有する。例えば被験者の瞳孔の位置と角膜反射像の位置とに基づいて視線を検出する方式の場合、撮影装置２１は、赤外線カメラを有し、例えば波長８５０［ｎｍ］の近赤外光を透過可能な光学系と、その近赤外光を受光可能な撮像素子とを有する。また、例えば被験者の目頭の位置と虹彩の位置とに基づいて視線を検出する方式の場合、撮影装置２１は、可視光カメラを有する。撮影装置２１は、フレーム同期信号を出力する。フレーム同期信号の周期は、例えば２０［ｍｓｅｃ］とすることができるが、これに限定されない。撮影装置２１は、例えば第１カメラ２１Ａ及び第２カメラ２１Ｂを有するステレオカメラの構成とすることができるが、これに限定されない。
【００１８】
また、例えば被験者の瞳孔の位置と角膜反射像の位置とに基づいて視線を検出する方式の場合、画像取得装置２０は、被験者の眼球ＥＢを照明する照明装置２２を有する。照明装置２２は、ＬＥＤ（light  emitting  diode）光源を含み、例えば波長８５０［ｎｍ］の近赤外光を射出可能である。なお、例えば被験者の目頭の位置と虹彩の位置とに基づいて視線を検出する方式の場合、照明装置２２は設けられなくてもよい。照明装置２２は、撮影装置２１のフレーム同期信号に同期するように検出光を射出する。照明装置２２は、例えば第１光源２２Ａ及び第２光源２２Ｂを有する構成とすることができるが、これに限定されない。
【００１９】
コンピュータシステム３０は、評価装置１００の動作を統括的に制御する。コンピュータシステム３０は、演算処理装置３０Ａ及び記憶装置３０Ｂを含む。演算処理装置３０Ａは、ＣＰＵ（central  processing  unit）のようなマイクロプロセッサを含む。記憶装置３０Ｂは、ＲＯＭ（read  only  memory）及びＲＡＭ（random  access  memory）のようなメモリ又はストレージを含む。演算処理装置３０Ａは、記憶装置３０Ｂに記憶されているコンピュータプログラム３０Ｃに従って演算処理を実施する。
【００２０】
出力装置４０は、フラットパネルディスプレイのような表示装置を含む。なお、出力装置４０は、印刷装置を含んでもよい。入力装置５０は、操作されることにより入力データを生成する。入力装置５０は、コンピュータシステム用のキーボード又はマウスを含む。なお、入力装置５０が表示装置である出力装置４０の表示部に設けられたタッチセンサを含んでもよい。
【００２１】
本実施形態に係る評価装置１００は、表示装置１０とコンピュータシステム３０とが別々の装置である。なお、表示装置１０とコンピュータシステム３０とが一体でもよい。例えば評価装置１００がタブレット型パーソナルコンピュータを含んでもよい。この場合、当該タブレット型パーソナルコンピュータに、表示装置、画像取得装置、コンピュータシステム、入力装置、出力装置等が搭載されてもよい。
【００２２】
図２は、評価装置１００の一例を示す機能ブロック図である。図２に示すように、コンピュータシステム３０は、表示制御部３１と、注視点検出部３２と、領域設定部３３と、判定部３４と、演算部３５と、評価部３６と、入出力制御部３７と、記憶部３８とを有する。コンピュータシステム３０の機能は、演算処理装置３０Ａ及び記憶装置３０Ｂ（図１参照）によって発揮される。なお、コンピュータシステム３０は、一部の機能が評価装置１００の外部に設けられてもよい。
【００２３】
表示制御部３１は、後述する指示情報を表示部１１に表示した後、評価用画像を表示部１１に表示する。本実施形態において、評価用画像は、主対象画像及び副対象画像を含む画像である。また、指示情報は、評価用画像のうち主対象画像を注視するように被験者に指示する情報である。表示制御部３１は、指示情報を表示しなくてもよい。また、表示制御部３１は、指示情報と評価用画像とを、同時に表示してもよい。主対象画像と副対象画像とは、互いに独立して設けられる。表示制御部３１は、主対象画像と副対象画像とには、例えば異なる画像を表示する。なお、表示制御部３１は、主対象画像と副対象画像とに同一の画像を表示してもよい。表示制御部３１は、主対象画像と副対象画像とが時間差をつけて表示されるように評価用画像を表示部に表示する。例えば、表示制御部３１は、副対象画像を被験者が認識し難い状態から被験者が認識し易い状態に変化させる。ここで、被験者が認識し難い状態とは、例えば透過度が高い状態、明度が低い状態、彩度が低い状態、大きさが小さい状態、等の状態である。一方、被験者が認識し易い状態とは、例えば透過度が低い状態、明度が高い状態、彩度が高い状態、大きさが大きい状態、等の状態である。したがって、表示制御部３１は、例えば時間の経過に伴い、副対象画像の透過度を下げる、明度を高くする、彩度を高くする、大きさを大きくする、というように副対象画像の状態を変化させることにより、被験者が認識し難い状態から、被験者が認識し易い状態に変化させることができる。例えば、表示制御部３１は、副対象画像の透過度を時間の経過に伴って下げることで、副対象画像を主対象画像に対して遅らせて被験者に認識させることができる。表示制御部３１は、上記の評価用画像及び指示情報を、例えば評価用画像として表示部１１に表示することができるが、表示形態については評価用画像に限定されず、静止画であってもよい。表示制御部３１は、副対象画像を複数表示してもよい。また、表示制御部３１は、主対象画像と副対象画像とを、時間差をつけずに同時に表示してもよい。また、表示制御部３１は、主対象画像と副対象画像とを同一画像として表示し、主対象画像に対応する主対象物と副対象画像に対応する副対象物とを表示してもよい。
【００２４】
注視点検出部３２は、被験者の注視点の位置データを検出する。本実施形態において、注視点検出部３２は、画像取得装置２０によって取得される被験者の左右の眼球ＥＢの画像データに基づいて、三次元グローバル座標系で規定される被験者の視線ベクトルを検出する。注視点検出部３２は、検出した被験者の視線ベクトルと表示装置１０の表示部１１との交点の位置データを、被験者の注視点の位置データとして検出する。つまり、本実施形態において、注視点の位置データは、三次元グローバル座標系で規定される被験者の視線ベクトルと、表示装置１０の表示部１１との交点の位置データである。注視点検出部３２は、規定のサンプリング周期毎に被験者の注視点の位置データを検出する。このサンプリング周期は、例えば撮影装置２１から出力されるフレーム同期信号の周期（例えば２０［ｍｓｅｃ］毎）とすることができる。
【００２５】
領域設定部３３は、表示部１１において、副対象画像に対応した判定領域を設定する。領域設定部３３は、複数の副対象画像が表示部１１に表示される場合、それぞれの副対象画像に判定領域を設定する。本実施形態において、領域設定部３３で設定される各判定領域は、原則として表示部１１には表示されない。なお、例えば表示制御部３１の制御により、各判定領域が表示部１１に表示されるようにしてもよい。また、領域設定部３３は、表示部１１において、主対象画像に対応した特定領域を設定することができる。
【００２６】
判定部３４は、注視点の位置データに基づいて、注視点が判定領域に存在するか否かをそれぞれ判定し、判定結果を判定データとして出力する。判定部３４は、規定の判定周期毎に注視点が判定領域に存在するか否かを判定する。判定周期としては、例えば撮影装置２１から出力されるフレーム同期信号の周期（例えば２０［ｍｓｅｃ］毎）とすることができる。つまり、判定部３４の判定周期は、注視点検出部３２のサンプリング周期と同一である。判定部３４は、注視点検出部３２で注視点の位置がサンプリングされる毎に当該注視点について判定を行い、判定データを出力する。判定領域が複数設定される場合、判定部３４は、注視点が存在するか否かを判定領域毎に判定して判定データを出力することができる。
【００２７】
演算部３５は、判定部３４の判定データに基づいて、注視点が判定領域に最初に到達するまでの到達時間を算出する。到達時間は、所定の時点から注視点が判定領域に移動して判定領域に最初に存在すると判定されるまでの時間を示す。演算部３５は、時間を計測するタイマを有する。演算部３５は、当該タイマを用いて、到達時間を算出する。演算部３５は、到達時間を算出する起点となる所定の時点として、例えば指示情報が提示された後に、評価用画像の表示が開始される時点とすることができる。また、主対象画像に対応する特定領域が設定される場合、演算部３５は、所定の時点として、例えば被験者の注視点が特定領域に存在すると最初に確認された時点としてもよい。演算部３５は、算出した到達時間を、到達時間データとして記憶部３８に記憶させる。演算部３５は、判定領域が複数設定される場合、判定領域毎に到達時間を算出可能である。なお、演算部３５は、評価用画像の再生時間を管理する管理タイマを有する。
【００２８】
評価部３６は、注視点の到達時間に基づいて、被験者の評価データを求める。評価データは、表示部１１に表示される主対象画像及び副対象画像を被験者が注視できているかを評価するデータを含む。
【００２９】
入出力制御部３７は、画像取得装置２０及び入力装置５０の少なくとも一方からのデータ（眼球ＥＢの画像データ、入力データ等）を取得する。また、入出力制御部３７は、表示装置１０及び出力装置４０の少なくとも一方にデータを出力する。入出力制御部３７は、被験者に対する課題をスピーカ等の出力装置４０から出力してもよい。
【００３０】
記憶部３８は、上記の判定データ、到達時間データ、及び評価データを記憶する。また、記憶部３８は、被験者の注視点の位置を検出する処理と、主対象画像及び副対象画像を含む評価用画像と、主対象画像を注視するように被験者に指示する指示情報とを表示部１１に表示する処理と、副対象画像に対応した判定領域を設定する処理と、主対象画像に対応した特定領域を設定する処理と、検出された注視点の位置に基づいて、注視点が判定領域に存在するかを判定する処理と、所定の時点から注視点が判定領域に最初に到達するまでの到達時間を判定結果に基づいて計測する処理と、到達時間に基づいて、被験者の評価データを求める処理とをコンピュータに実行させる評価プログラムを記憶する。
【００３１】
［評価方法］  
次に、本実施形態に係る評価方法について説明する。本実施形態に係る評価方法では、上記の評価装置１００を用いることにより、被験者のＡＤＨＤの可能性について評価する。
【００３２】
図３は、表示部１１に表示する評価用画像Ｅの一例を示す図である。図３に示すように、表示制御部３１は、主対象画像Ｍ及び副対象画像Ｓを含む評価用画像Ｅを表示部１１に表示する。主対象画像Ｍは、例えば表示部１１の中央に配置され、複数の人物が表示される。主対象画像Ｍは、例えば矩形状であるが、これに限定されず、円形状、三角形等の他の多角形状等、他の形状であってもよい。副対象画像Ｓは、主対象画像Ｍの周囲の枠部Ｆに複数配置される。副対象画像Ｓは、例えば表示部１１の４つの角部と、４つの辺の中央部分とにそれぞれ配置され、合計で８つ配置される。主対象画像Ｍは、８つの副対象画像Ｓよりも寸法が大きい。８つの副対象画像Ｓは、それぞれ同一の寸法である。なお、主対象画像Ｍ及び副対象画像Ｓの表示位置、寸法、副対象画像Ｓの個数等については、これに限定されない。８つの副対象画像Ｓを区別する場合、それぞれ副対象画像Ｓ１〜Ｓ８と表記する。
【００３３】
図４は、表示部１１に指示情報Ｉを表示する場合の一例を示す図である。図４に示すように、表示制御部３１は、評価用画像Ｅのうち主対象画像Ｍを注視するように被験者に指示する指示情報Ｉを表示部１１に表示する。図４に示す例において、表示制御部３１は、主対象画像Ｍ以外の領域が暗くなるように表示し、指示情報Ｉとして、主対象画像Ｍに対応する部分に「○」の指標を表示し、副対象画像Ｓに対応する部分に「×」の指標を表示する。なお、指示情報Ｉは、評価用画像Ｅを用いたものに限定されない。例えば、表示制御部３１は、評価用画像Ｅを表示させることなく、文字等の指示情報を表示部１１に表示してもよい。また、入出力制御部３７は、指示情報Ｉの表示に加えて、又は指示情報Ｉの表示に代えて、「中央の画像を見てください」等のように指示情報Ｉに対応する音声をスピーカから出力してもよい。例えば、入出力制御部３７は、指示情報Ｉを表示させずに、「中央の画像を見てください」等のように指示情報Ｉに対応する音声をスピーカから出力してもよい。
【００３４】
図５は、表示部１１に設定される判定領域の一例を示す図である。図５に示すように、領域設定部３３は、副対象画像Ｓに対応した判定領域Ａを設定する。以下、判定領域Ａを区別する場合、副対象画像Ｓに対応した判定領域を判定領域Ａ１〜Ａ８と表記する場合がある。領域設定部３３は、互いに重ならない範囲に判定領域Ａを設定する。判定領域Ａは、表示部１１には表示されない。判定領域Ａは、例えば矩形状であるが、この形状に限定されず、例えば三角形等の他の多角形、円形等の他の形状であってもよい。判定領域Ａは、それぞれ副対象画像Ｓの全体を含む状態で設定されてもよいし、副対象画像Ｓの一部を含む状態で設定されてもよい。また、領域設定部３３は、主対象画像Ｍに対応した特定領域Ｂを設定することができる。領域設定部３３は、判定領域Ａに重ならない範囲に特定領域Ｂを設定する。特定領域Ｂは、表示部１１には表示されない。特定領域Ｂは、例えば矩形状であるが、この形状に限定されず、例えば三角形等の他の多角形、円形等の他の形状であってもよい。特定領域Ｂは、主対象画像Ｍの全体を含む状態で設定されてもよいし、主対象画像Ｍの一部を含む状態で設定されてもよい。
【００３５】
ＡＤＨＤの特性としては、例えば不注意、多動性、衝動性等が挙げられる。ＡＤＨＤの被験者は、例えば所定の領域を注視するように指示されていた場合でも、多動性又は衝動性により、評価開始から早い段階で注視点を当該所定の領域とは異なる他の領域に移動させる傾向がある。一方、ＡＤＨＤではない被験者は、評価開始から注視点を当該所定の領域とは異なる他の領域に移動させる時間が遅くなる、又は、注視点が他の領域に移動させない傾向がある。そこで、本実施形態では、主対象画像Ｍを注視するように指示した後、被験者の注意を引くような副対象画像Ｓを表示し、副対象画像Ｓに対応する判定領域Ａに最初に到達するまでの到達時間を計測し、計測した到達時間に基づいて被験者を評価するものである。
【００３６】
まず、表示制御部３１は、評価用画像Ｅを表示部１１に表示する。評価用画像Ｅには、例えば主対象画像Ｍ及び副対象画像Ｓが含まれる（図３参照）。評価用画像Ｅを表示した後、表示制御部３１は、評価用画像Ｅのうち主対象画像Ｍを注視するように被験者に指示する指示情報Ｉを表示部１１に表示する（図４参照）。なお、表示制御部３１は、指示情報Ｉを表示する前の評価用画像Ｅの表示は行わずに、最初に指示情報Ｉを表示するようにしてもよい。
【００３７】
その後、表示制御部３１は、指示情報Ｉの表示を終了し、評価用画像Ｅを表示する。図６から図１０は、評価用画像Ｅの表示の推移を示す図である。まず、表示制御部３１は、図６に示すように、表示部１１の中央部に主対象画像Ｍを表示し、副対象画像Ｓ及び枠部Ｆについては被験者が認識し難い状態から被験者が認識し易い状態に変化させる。本実施形態において、表示制御部３１は、例えば時間の経過に伴って透過度を下げるようにするが、これに限定されず、他の方法で被験者が認識し難い状態から被験者が認識し易い状態に変化させてもよい。具体的には、表示制御部３１は、まず副対象画像Ｓ及び枠部Ｆの透過度を１００％とした表示とする。これにより、副対象画像Ｓ及び枠部Ｆは、見かけ上、表示部１１には表示されない状態となる。枠部Ｆに対応する領域は、黒塗り状態となっているが、これに限定されず、多色で塗られた状態、又は模様等が形成された状態であってもよい。そして、領域設定部３３は、図示を省略するが、評価用画像Ｅのうち副対象画像Ｓに対応する判定領域（Ａ１〜Ａ８：図５参照）を設定する。領域設定部３３は、評価用画像Ｅの表示期間が終了するまで判定領域Ａ１〜Ａ８を設定しておく。
【００３８】
この状態から、表示制御部３１は、時間の経過とともに、図７に示すように、一部の副対象画像Ｓ（Ｓ２、Ｓ４、Ｓ５、Ｓ７）及び枠部Ｆの透過度を徐々に低下させ、徐々に視認可能な状態とする。そして、図８に示すように、副対象画像Ｓ２、Ｓ４、Ｓ５、Ｓ７及び枠部Ｆの透過度が０％になった場合、副対象画像Ｓ２、Ｓ４、Ｓ５、Ｓ７及び枠部Ｆが、主対象画像Ｍと同様の表示状態となる。
【００３９】
その後、表示制御部３１は、時間の経過とともに、図９に示すように、他の副対象画像Ｓ（Ｓ１、Ｓ３、Ｓ６、Ｓ８）の透過度を徐々に低下させ、徐々に視認可能な状態とする。そして、図１０に示すように、副対象画像Ｓ１、Ｓ３、Ｓ６、Ｓ８の透過度が０％になった場合、当該副対象画像ＳＳ１、Ｓ３、Ｓ６、Ｓ８が、主対象画像Ｍ、副対象画像Ｓ２、Ｓ４、Ｓ５、Ｓ７、枠部Ｆと同様の表示状態となる。
【００４０】
注視点検出部３２は、評価用画像Ｅが表示される期間において、規定のサンプリング周期（例えば２０［ｍｓｅｃ］）毎に、被験者の注視点Ｐの位置を検出する。被験者の注視点Ｐの位置が検出された場合、判定部３４は、被験者の注視点が判定領域Ａ１〜Ａ８に存在するかを判定し、判定データを出力する。したがって、判定部３４は、注視点検出部３２で注視点の位置がサンプリングされる毎に、上記のサンプリング周期と同一の判定周期毎に判定データを出力する。
【００４１】
演算部３５は、注視点が判定領域に存在するか否かの判定データに基づいて、注視点が判定領域に最初に到達するまでの到達時間を算出する。到達時間は、注視点が所定の時点から判定領域Ａ１〜Ａ８のそれぞれに最初に到達した時点までの時間である。演算部３５は、当該タイマを用いて到達時間を算出する。演算部３５は、到達時間を算出する起点となる所定の時点として、例えば指示情報Ｉが提示された後に、評価用画像Ｅの表示が開始される時点とすることができる。また、主対象画像Ｍに対応する特定領域Ｂ（図５参照）が設定される場合、演算部３５は、所定の時点として、例えば被験者の注視点が特定領域Ｂに存在すると最初に確認された時点としてもよい。演算部３５は、本実施形態のように複数の判定領域Ａ１〜Ａ８設定される場合、判定領域毎に到達時間を算出する。
【００４２】
評価部３６は、注視点の到達時間に基づいて評価値を求め、評価値に基づいて評価データを求める。本実施形態において、評価部３６は、例えば、判定領域Ａ１〜Ａ８のそれぞれの到達時間をｔ１〜ｔ８とすると、評価値ＡＮＳは、
ＡＮＳ＝（ｔ１＋ｔ２＋ｔ３＋ｔ４＋ｔ５＋ｔ６＋ｔ７＋ｔ８）／８
とすることができる。つまり、評価値ＡＮＳは、それぞれの到達時間ｔ１〜ｔ８の平均値となる。なお、評価用画像Ｅの表示期間に注視点が判定領域Ａに到達しなかった場合、ｔ１〜ｔ８の値は、例えば表示期間に相当する時間とすることができる。なお、評価部３６は、判定領域Ａ１〜Ａ８のそれぞれの到達時間ｔ１〜ｔ８の合計値を評価値ＡＮＳとしてもよい。
【００４３】
評価部３６は、評価値ＡＮＳの値が所定の閾値Ｋ以上か否かを判断することで評価データを求めることができる。例えば評価値ＡＮＳが閾値Ｋ以上である場合、注視点を移動させる時間が遅かった、又は注視点を移動させなかったとして、被験者がＡＤＨＤである可能性が低いと評価することができる。また、評価値ＡＮＳが閾値Ｋ未満である場合、早い段階で注視点を移動させたとして、被験者がＡＤＨＤである可能性が高いと評価することができる。
【００４４】
また、評価部３６は、評価値ＡＮＳの値を記憶部３８に記憶させておくことができる。例えば、同一の被験者についての評価値ＡＮＳを累積的に記憶し、過去の評価値と比較した場合の評価を行ってもよい。例えば、評価値ＡＮＳが過去の評価値よりも高い値となった場合、ＡＤＨＤの症状が前回の評価に比べて改善されている旨の評価を行うことができる。また、評価値ＡＮＳの累積値が徐々に高くなっている場合等には、ＡＤＨＤの症状が徐々に改善されている旨の評価を行うことができる。
【００４５】
本実施形態において、評価部３６が評価データを出力した場合、入出力制御部３７は、評価データに応じて、例えば「被験者はＡＤＨＤである可能性が低いと思われます」の文字データや、「被験者はＡＤＨＤである可能性が高いと思われます」の文字データ等を出力装置４０に出力させることができる。また、入出力制御部３７は、同一の被験者についての評価値ＡＮＳが過去の評価値ＡＮＳに比べて低くなっている場合、「ＡＤＨＤの症状が改善されています」等の文字データ等を出力装置４０に出力することができる。
【００４６】
次に、本実施形態に係る評価方法の一例について、図１１を参照しながら説明する。図１１は、本実施形態に係る評価方法の一例を示すフローチャートである。本実施形態に係る評価方法において、図１１に示すように、まず表示制御部３１は、表示部１１に評価用画像Ｅを表示する（ステップＳ１０１）。次に、表示制御部３１は、評価用画像Ｅのうち主対象画像Ｍを注視する旨の指示情報Ｉを表示部１１に表示する（ステップＳ１０２）。
【００４７】
その後、表示制御部３１は、指示情報Ｉの表示を終了し、表示部１１に評価用画像Ｅを表示する。また、領域設定部３３は、評価用画像Ｅのうち副対象画像Ｓに対応する判定領域Ａ（Ａ１〜Ａ８）を設定する（ステップＳ１０３）。その後、注視点検出部３２は、注視点検出を開始する（ステップＳ１０４）。
【００４８】
注視点検出部３２は、所定のサンプリング周期で注視点の位置をサンプリングする（ステップＳ１０５）。判定部３４は、注視点検出部３２で注視点の位置がサンプリングされる毎に、当該注視点について、注視点が判定領域Ａ１〜Ａ８のいずれかに存在するか否かの判定を行い、判定データを出力する（ステップＳ１０６）。注視点が判定領域Ａ１〜Ａ８のいずれかに存在すると判定された場合（ステップ１０６のＹｅｓ）、演算部３５は、判定データに基づいて、判定領域Ａ１〜Ａ８のそれぞれについて、表示開始からの経過時間を注視点が最初に到達した到達時間として算出する（ステップＳ１０７）。ステップＳ１０７の処理が行われた場合、又は、注視点が判定領域Ａ１〜Ａ８のいずれにも存在しないと判定された場合（ステップＳ１０６のＮｏ）、演算部３５は、評価用画像Ｅの表示が終了したか否かの判定を行う（ステップＳ１０８）。終了していないと判定された場合（ステップＳ１０８のＮｏ）、ステップＳ１０５以降の処理を行う。終了していると判定された場合（ステップＳ１０８のＹｅｓ）、評価部３６は、算出された判定領域それぞれの注視点が最初に到達した到達時間の平均値を評価値（ＡＮＳ）として求める（ステップＳ１０９）。
【００４９】
評価部３６は、評価値（ＡＮＳ）が閾値（Ｋ）以上であるか否かを判定する（ステップＳ１１０）。評価値（ＡＮＳ）が閾値（Ｋ）以上ではない（未満）場合（ステップＳ１１０のＮｏ）、評価部３６は、早い段階で注視点を移動させたとして、被験者がＡＤＨＤである可能性が高いと評価した後（ステップＳ１１１）、処理を終了する。評価値が閾値以上である場合（ステップＳ１１０のＹｅｓ）、評価部３６は、注視点を移動させる時間が遅かった、又は注視点を移動させなかったとして、被験者がＡＤＨＤである可能性が低いと評価した後（ステップＳ１１２）、処理を終了する。
【００５０】
以上のように、本実施形態に係る評価装置１００は、表示部１１と、被験者の注視点の位置を検出する注視点検出部３２と、主対象画像Ｍ及び副対象画像Ｓを含む評価用画像Ｅと、主対象画像Ｍを注視するように被験者に指示する指示情報Ｉとを表示部１１に表示する表示制御部３１と、副対象画像Ｓに対応した判定領域Ａを設定する領域設定部３３と、検出された注視点の位置に基づいて、注視点が判定領域Ａに存在するかを判定する判定部３４と、所定の時点から注視点が判定領域Ａに最初に到達するまでの到達時間を判定部３４の判定結果に基づいて計測する演算部３５と、到達時間に基づいて、被験者の評価データを求める評価部３６とを備える。
【００５１】
本実施形態に係る評価方法は、被験者の注視点の位置を検出することと、主対象画像Ｍ及び副対象画像Ｓを含む評価用画像Ｅと、主対象画像Ｍを注視するように被験者に指示する指示情報Ｉとを表示部１１に表示することと、副対象画像Ｓに対応した判定領域Ａを設定することと、検出された注視点の位置に基づいて、注視点が判定領域Ａに存在するかを判定することと、所定の時点から注視点が判定領域Ａに最初に到達するまでの到達時間を判定結果に基づいて計測することと、到達時間に基づいて、被験者の評価データを求めることとを含む。
【００５２】
本実施形態に係る評価プログラムは、被験者の注視点の位置を検出する処理と、対象画像Ｍ及び副対象画像Ｓを含む評価用画像Ｅと、主対象画像Ｍを注視するように被験者に指示する指示情報Ｉとを表示部１１に表示する処理と、副対象画像Ｓに対応した判定領域Ａを設定する処理と、検出された注視点の位置に基づいて、注視点が判定領域Ａに存在するかを判定する処理と、所定の時点から注視点が判定領域Ａに最初に到達するまでの到達時間を判定結果に基づいて計測する処理と、到達時間に基づいて、被験者の評価データを求める処理とをコンピュータに実行させる。
【００５３】
ＡＤＨＤの被験者は、例えば所定の領域を注視するように指示されていた場合でも、多動性又は衝動性により、評価開始から早い段階で注視点を当該所定の領域とは異なる他の領域に移動させる傾向がある。したがって、本実施形態によれば、主対象画像Ｍを注視するように指示した後、被験者の注意を引くような副対象画像Ｓを表示し、副対象画像Ｓに対応する判定領域Ａに最初に到達するまでの到達時間を計測し、計測した到達時間に基づいて被験者を評価するものである。これにより、ＡＤＨＤの被験者特有の特性に対してより直接的に適合した評価を行うことができる。
【００５４】
本実施形態に係る評価装置１００において、表示制御部３１は、副対象画像Ｓを時間の経過に伴って被験者が認識し難い状態から、認識し易い状態に変化させることで、副対象画像Ｓを主対象画像Ｍに対して遅らせて被験者に認識させる。これにより、主対象画像Ｍと副対象画像Ｓとの間の表示の時差を容易につけることが可能となる。
【００５５】
本実施形態に係る評価装置１００において、領域設定部３３は、主対象画像Ｍに対応した特定領域Ｂを設定し、判定部３４は、注視点の位置に基づいて、注視点が特定領域Ｂに存在するかを判定し、演算部３５は、注視点が特定領域Ｂに存在すると最初に判定された時点を、到達時間を算出する起点となる所定の時点とする。これにより、被験者が主対象画像Ｍを注視した状態から、注視点が判定領域Ａに最初に到達するまでの到達時間のカウントがスタートするため、指示情報Ｉによる指示を満たした状態からの評価を確実に行うことができる。このため、高精度の結果を得ることができる。
【００５６】
本実施形態に係る評価装置１００において、副対象画像Ｓは、複数設けられ、領域設定部３３は、それぞれの副対象画像Ｓに対応した判定領域Ａを設定し、演算部３５は、判定領域Ａ毎に注視点の到達時間を計測し、評価部３６は、到達時間の平均値に基づいて評価データを求める。これにより、例えばＡＤＨＤではない被験者が誤って副対象画像Ｓを注視した場合の影響を低減することができる。
【００５７】
本発明の技術範囲は上記実施形態に限定されるものではなく、本発明の趣旨を逸脱しない範囲で適宜変更を加えることができる。例えば、上記各実施形態では、評価装置１００を、ＡＤＨＤである可能性を評価する評価装置として用いる場合を例に挙げて説明したが、これに限定されない。例えば、評価装置１００は、認知機能障害および脳機能障害である可能性の評価や視覚認知機能の評価など、ＡＤＨＤである可能性の評価以外の評価装置として用いてもよい。
【符号の説明】
【００５８】
Ａ，Ａ１〜Ａ８…判定領域、Ｂ…特定領域、Ｅ…評価用画像、Ｆ…枠部、Ｉ…指示情報、Ｍ…主対象画像、ＥＢ…眼球、Ｐ…注視点、Ｓ，Ｓ１〜Ｓ８…副対象画像、ＡＮＳ…評価値、ｔ１〜ｔ８…到達時間、１０…表示装置、１１…表示部、２０…画像取得装置、２１…撮影装置、２１Ａ…第１カメラ、２１Ｂ…第２カメラ、２２…照明装置、２２Ａ…第１光源、２２Ｂ…第２光源、３０…コンピュータシステム、３０Ａ…演算処理装置、３０Ｂ…記憶装置、３０Ｃ…コンピュータプログラム、３１…表示制御部、３２…注視点検出部、３３…領域設定部、３４…判定部、３５…演算部、３６…評価部、３７…入出力制御部、３８…記憶部、４０…出力装置、５０…入力装置、６０…入出力インターフェース装置、１００…評価装置
【図１】
2020151293.tif 000003
【図２】
2020151293.tif 000004
【図３】
2020151293.tif 000005
【図４】
2020151293.tif 000006
【図５】
2020151293.tif 000007
【図６】
2020151293.tif 000008
【図７】
2020151293.tif 000009
【図８】
2020151293.tif 000010
【図９】
2020151293.tif 000011
【図１０】
2020151293.tif 000012
【図１１】
2020151293.tif 000013